(57)【要約】【課題】舶用の過給機などの高速回転体であっても、必要な強度の検出信号を得ることができ、しかも作動流体による汚染の影響を受けることなく安定して計測することができる回転機械の回転計測装置を提供すること。【解決手段】  回転軸２に取り付けた中空キャップ１１に半径方向の貫通孔１２ａ，１２ｂをあけるとともに、これら一直線上となるケーシング５にそれぞれ貫通孔１３ａ，１３ｂをあけてレーザー発光・受光部１４と反射板１５を取り付ける。  これにより、回転軸２の貫通孔１２とレーザー発光・受光部１４および反射板１５とが貫通孔１３で連通することによる受光信号から処理手段１６で回転数を求めることができるようになる。  必要な強度の検出信号を簡単に得ることができ、しかも貫通孔１３を介することで作動流体による汚染の影響を抑えて安定して計測することができ、舶用の過給機などの高速回転体であっても、運転中に回転数を計測できるようになる。【選択図】  図１
2005207805.tif 000002
【特許請求の範囲】
【請求項１】
回転機械の回転軸とこの回転軸の外側に設けられるケーシングとに前記回転軸の半径方向の一直線上の貫通孔を設け、前記ケーシングの一方の貫通孔に発光部を設ける一方、前記ケーシングの他方の貫通孔に受光部を設け、この受光部による受光信号から前記回転軸の回転数を求める処理手段を備えたことを特徴とする回転機械の回転計測装置。
【請求項２】
前記発光部を光電式センサで構成したことを特徴とする請求項１記載の回転機械の回転計測装置。
【請求項３】
回転機械の回転軸とこの回転軸の外側に設けられるケーシングとに前記回転軸の半径方向の一直線上の貫通孔を設け、前記ケーシングの一方の貫通孔に発光部および受光部を設ける一方、前記ケーシングの他方の貫通孔に反射部を設け、前記受光部による反射部からの受光信号から前記回転軸の回転数を求める処理手段を備えたことを特徴とする回転機械の回転計測装置。
【請求項４】
前記発光部および受光部をレーザー発光・受光部で構成したことを特徴とする請求項３記載の回転機械の回転計測装置。
【請求項５】
前記回転軸に設ける貫通孔を、別体としたキャップに設けて前記回転軸に取り付けることを特徴とする請求項１〜４のいずれかに記載の回転機械の回転計測装置。
【請求項６】
回転機械の回転軸の端部に中空キャップを取り付け、この中空キャップと前記回転軸の外側に設けられるケーシングとに前記回転軸の半径方向の前記中空キャップの中空部に到る一直線上の貫通孔を設け、前記ケーシングの貫通孔に発光部および受光部を設ける一方、前記キャップの貫通孔の中空部側に反射部を設け、前記受光部による前記反射部からの受光信号から前記回転軸の回転数を求める処理手段を備えたことを特徴とする回転機械の回転計測装置。
【発明の詳細な説明】
【技術分野】
【０００１】
この発明は回転機械の回転計測装置に関し、過給機やガスタービンなどの高速回転機械の運転中のロータの回転数を計測できるようにしたもので、カーボンなどで汚れた雰囲気中で運転される舶用の過給機のような場合での計測に好適なものである。
【背景技術】
【０００２】
過給機やガスタービンなどの高速回転機械において、運転中のロータの回転数を把握することは、性能面および作業効率面で非常に重要なことである。
【０００３】
このため、従来から高速回転するロータの回転数を計測する方法が種々提案されている。
【０００４】
例えば、通常行われている方法に、ロータにコンプレッサインペラを固定するためのナットに磁石(被検出体)を埋め込むなどで取り付けておき、コンプレッサハウジングに固定した電磁ピックアップでロータの回転に伴う磁束の変化を検出するようにした電磁式のものがある。
【０００５】
また、光学式のものとして、ロータに反射板を取り付けておき、ケーシング側に固定した光源から照射した光の反射光からロータの回転数を検出するようにしたものがある。
【０００６】
さらに、特許文献１には、ターボチャージャの回転数計測方法として、コンプレッサインペラで過給された過給気が圧送される吸気導出通路に流速センサや圧力センサを設け、過給気の周期的変化を検出して回転数を求めるようにしている。
【特許文献１】特開２００３−９７２８１号公報
【発明の開示】
【発明が解決しようとする課題】
【０００７】
ところが、上記従来の回転数の計測方法では、自動車用のターボチャージャのような小型で、作動流体が清浄な場合には、特に問題とならないが、舶用機関に搭載される中型から大型の遠心流コンプレッサ、タービンを持つ過給機に対しては、次のような問題がある。
【０００８】
電磁式の場合には、ロータに取り付ける被検出部と、ケーシング側の検出部との距離が大きくなり、得られる検出信号の出力が小さく、雑音耐性が低いという問題がある。
【０００９】
また、光電式の場合には、機関室内のカーボンなどで汚染された空気を吸入して作動流体としているため、反射板などの被検出部が汚染され、時間の経過とともに、検出不能になってしまうという問題がある。
【００１０】
さらに、流速変化や圧力変化から検出する場合には、ケーシングに取り付けたセンサ自体に加わる振動の影響が大きく、検出信号中の雑音が多く正確に計測することが難しいという問題がある。
【００１１】
この発明はかかる従来技術の問題点に鑑みてなされたもので、舶用の過給機などの高速回転体であっても、必要な強度の検出信号を得ることができ、しかも作動流体による汚染の影響を受けることなく安定して計測することができる回転機械の回転計測装置を提供しようとするものである。
【課題を解決するための手段】
【００１２】
上記課題を解決するため、この発明の請求項1記載の回転機械の回転計測装置は、回転機械の回転軸とこの回転軸の外側に設けられるケーシングとに前記回転軸の半径方向の一直線上の貫通孔を設け、前記ケーシングの一方の貫通孔に発光部を設ける一方、前記ケーシングの他方の貫通孔に受光部を設け、この受光部による受光信号から前記回転軸の回転数を求める処理手段を備えたことを特徴とするものである。
【００１３】
この回転機械の回転計測装置によれば、回転機械の回転軸とこの回転軸の外側に設けられるケーシングとに前記回転軸の半径方向の一直線上の貫通孔を設け、前記ケーシングの一方の貫通孔に発光部を設ける一方、前記ケーシングの他方の貫通孔に受光部を設け、この受光部による受光信号から前記回転軸の回転数を求める処理手段を備えており、回転軸に半径方向の貫通孔をあけるとともに、この貫通孔と一直線上となるケーシングにそれぞれ貫通孔をあけて発光部と受光部を設け、回転軸の貫通孔と発光部と受光部とが貫通孔で連通することによる受光信号から処理手段で回転数を求めることができ、必要な強度の検出信号を簡単に得ることができ、しかも貫通孔を介することで作動流体による汚染の影響を抑えて安定して計測することができ、回転軸の加工時に貫通孔を形成し、その後バランス修正を行うことで、軸振動を抑えることもできるようになる。
【００１４】
これにより、舶用の過給機などの高速回転体であっても、運転中に回転数を計測できるようになる。
【００１５】
また、この発明の請求項２記載の回転機械の回転計測装置は、請求項１記載の構成に加え、前記発光部を光電式センサで構成したことを特徴とするものである。
【００１６】
この回転機械の回転計測装置によれば、前記発光部を光電式センサで構成するようにしており、光電式として回転機械の回転数を計測することができ、舶用の過給機などの高速回転体であっても、運転中に回転数を計測できるようになる。
【００１７】
さらに、この発明の請求項３記載の回転機械の回転計測装置は、回転機械の回転軸とこの回転軸の外側に設けられるケーシングとに前記回転軸の半径方向の一直線上の貫通孔を設け、前記ケーシングの一方の貫通孔に発光部および受光部を設ける一方、前記ケーシングの他方の貫通孔に反射部を設け、前記受光部による反射部からの受光信号から前記回転軸の回転数を求める処理手段を備えたことを特徴とするものである。
【００１８】
この回転機械の回転計測装置によれば、回転機械の回転軸とこの回転軸の外側に設けられるケーシングとに前記回転軸の半径方向の一直線上の貫通孔を設け、前記ケーシングの一方の貫通孔に発光部および受光部を設ける一方、前記ケーシングの他方の貫通孔に反射部を設け、前記受光部による反射部からの受光信号から前記回転軸の回転数を求める処理手段を備えており、回転軸に半径方向の貫通孔をあけるとともに、この貫通孔と一直線上となるケーシングにそれぞれ貫通孔をあけて発光部および受光部と反射部を設け、回転軸の貫通孔と発光部・受光部および反射部とが貫通孔で連通することによる反射部からの受光信号から処理手段で回転数を求めることができ、必要な強度の検出信号を簡単に得ることができ、しかも貫通孔を介することで作動流体による汚染の影響を抑えて安定して計測することができる。
【００１９】
これにより、舶用の過給機などの高速回転体であっても、運転中に回転数を計測できるようになる。
【００２０】
また、この発明の請求項４記載の回転機械の回転計測装置は、請求項３記載の構成に加え、前記発光部および受光部をレーザー発光・受光部で構成したことを特徴とするものである。
【００２１】
この回転機械の回転計測装置によれば、前記発光部および受光部をレーザー発光・受光部で構成するようにしており、レーザー式とすることで必要な強度の検出信号を一層容易に得ることができ、舶用の過給機などの高速回転体であっても、運転中に回転数を計測できるようになる。
【００２２】
さらに、この発明の請求項５記載の回転機械の回転計測装置は、請求項１〜４のいずれかに記載の構成に加え、前記回転軸に設ける貫通孔を、別体としたキャップに設けて前記回転軸に取り付けることを特徴とするものである。
【００２３】
この回転機械の回転計測装置によれば、前記回転軸に設ける貫通孔を、別体としたキャップに設けて前記回転軸に取り付けるようにしており、回転軸とは別にキャップを用意して半径方向の貫通孔を設けるようにしても、回転機械の回転数を計測することができ、舶用の過給機などの高速回転体であっても、運転中に安定した状態で回転数を計測できるようになる。
【００２４】
また、この発明の請求項６記載の回転機械の回転計測装置は、回転機械の回転軸の端部に中空キャップを取り付け、この中空キャップと前記回転軸の外側に設けられるケーシングとに前記回転軸の半径方向の前記中空キャップの中空部に到る一直線上の貫通孔を設け、前記ケーシングの貫通孔に発光部および受光部を設ける一方、前記キャップの貫通孔の中空部側に反射部を設け、前記受光部による前記反射部からの受光信号から前記回転軸の回転数を求める処理手段を備えたことを特徴とするものである。
【００２５】
この回転機械の回転計測装置によれば、回転機械の回転軸の端部に中空キャップを取り付け、この中空キャップと前記回転軸の外側に設けられるケーシングとに前記回転軸の半径方向の前記中空キャップの中空部に到る一直線上の貫通孔を設け、前記ケーシングの貫通孔に発光部および受光部を設ける一方、前記キャップの貫通孔の中空部側に反射部を設け、前記受光部による前記反射部からの受光信号から前記回転軸の回転数を求める処理手段を備えており、回転軸の端部に取り付ける中空キャップに半径方向の貫通孔を中空部まであけて貫通孔の中空部側に反射部を設けるとともに、この貫通孔と一直線上となるケーシングに貫通孔をあけて発光部および受光部を設け、回転軸端の中空キャップの貫通孔とケーシングの発光部・受光部とがそれぞれの貫通孔で連通することによる反射部からの受光信号から処理手段で回転数を求めることができ、必要な強度の検出信号を簡単に得ることができ、しかも貫通孔を介することで作動流体による汚染の影響を抑えて安定して計測することができる。
【００２６】
これにより、舶用の過給機などの高速回転体であっても、運転中に回転数を計測できるようになる。
【発明の効果】
【００２７】
この発明の請求項1記載の回転機械の回転計測装置によれば、回転機械の回転軸とこの回転軸の外側に設けられるケーシングとに前記回転軸の半径方向の一直線上の貫通孔を設け、前記ケーシングの一方の貫通孔に発光部を設ける一方、前記ケーシングの他方の貫通孔に受光部を設け、この受光部による受光信号から前記回転軸の回転数を求める処理手段を備えているので、回転軸に半径方向の貫通孔をあけるとともに、この貫通孔と一直線上となるケーシングにそれぞれ貫通孔をあけて発光部と受光部を設け、回転軸の貫通孔と発光部と受光部とが貫通孔で連通することによる受光信号から処理手段で回転数を求めることができ、必要な強度の検出信号を簡単に得ることができる。
【００２８】
また、貫通孔を介することで作動流体による汚染の影響を抑えて安定して計測することができる。
【００２９】
これにより、舶用の過給機などの高速回転体であっても、運転中に回転数を計測することができる。
【００３０】
また、この発明の請求項２記載の回転機械の回転計測装置によれば、前記発光部を光電式センサで構成するようにしたので、光電式として回転機械の回転数を計測することができ、舶用の過給機などの高速回転体であっても、運転中に回転数を計測することができる。
【００３１】
さらに、この発明の請求項３記載の回転機械の回転計測装置によれば、回転機械の回転軸とこの回転軸の外側に設けられるケーシングとに前記回転軸の半径方向の一直線上の貫通孔を設け、前記ケーシングの一方の貫通孔に発光部および受光部を設ける一方、前記ケーシングの他方の貫通孔に反射部を設け、前記受光部による反射部からの受光信号から前記回転軸の回転数を求める処理手段を備えているので、回転軸に半径方向の貫通孔をあけるとともに、この貫通孔と一直線上となるケーシングにそれぞれ貫通孔をあけて発光部および受光部と反射部を設け、回転軸の貫通孔と発光部・受光部および反射部とが貫通孔で連通することによる反射部からの受光信号から処理手段で回転数を求めることができ、必要な強度の検出信号を簡単に得ることができる。
【００３２】
また、貫通孔を介することで作動流体による汚染の影響を抑えて安定して計測することができ、回転軸の加工時に貫通孔を形成し、その後バランス修正を行うことで、軸振動を抑えることもできる。
【００３３】
これにより、舶用の過給機などの高速回転体であっても、運転中に回転数を計測できるようになる。
【００３４】
また、この発明の請求項４記載の回転機械の回転計測装置によれば、前記発光部および受光部をレーザー発光・受光部で構成するようにしたので、レーザー式とすることで必要な強度の検出信号を一層容易に得ることができ、舶用の過給機などの高速回転体であっても、運転中に回転数を計測することができる。
【００３５】
さらに、この発明の請求項５記載の回転機械の回転計測装置によれば、前記回転軸に設ける貫通孔を、別体としたキャップに設けて前記回転軸に取り付けるようにしたので、回転軸とは別にキャップを用意して半径方向の貫通孔を設けるようにしても、回転機械の回転数を計測することができ、舶用の過給機などの高速回転体であっても、安定した状態で運転中に回転数を計測することができる。
【００３６】
また、この発明の請求項６記載の回転機械の回転計測装置によれば、回転機械の回転軸の端部に中空キャップを取り付け、この中空キャップと前記回転軸の外側に設けられるケーシングとに前記回転軸の半径方向の前記中空キャップの中空部に到る一直線上の貫通孔を設け、前記ケーシングの貫通孔に発光部および受光部を設ける一方、前記キャップの貫通孔の中空部側に反射部を設け、前記受光部による前記反射部からの受光信号から前記回転軸の回転数を求める処理手段を備えているので、回転軸の端部に取り付ける中空キャップに半径方向の貫通孔を中空部まであけて貫通孔の中空部側に反射部を設けるとともに、この貫通孔と一直線上となるケーシングに貫通孔をあけて発光部および受光部を設け、回転軸端の中空キャップの貫通孔とケーシングの発光部・受光部とがそれぞれの貫通孔で連通することによる反射部からの受光信号から処理手段で回転数を求めることができ、必要な強度の検出信号を簡単に得ることができ、しかも貫通孔を介することで作動流体による汚染の影響を抑えて安定して計測することができる。
【００３７】
これにより、舶用の過給機などの高速回転体であっても、運転中に回転数を計測できるようになる。
【発明を実施するための最良の形態】
【００３８】
以下、この発明の実施の形態について図面に基づき詳細に説明する。  
図１はこの発明の回転機械の回転計測装置の一実施の形態にかかり、(ａ)は舶用過給機に適用した場合の全体の概略構成図、（ｂ）は他の構成例の説明断面図である。
【００３９】
この回転機械の回転計測装置１０が設置されて回転数が計測される舶用過給機１は、図示省略した排気タービンで駆動される回転軸(ロータ)２の端部にコンプレッサインペラ３が装着されてナット４で固定されるようになっており、コンプレッサインペラ３の外側を囲んでケーシングとなるコンプレッサハウジング５が設けてある。そして、コンプレッサハウジング５の先端部の吸気入口にサイレンサ６が設けられるとともに、過給された空気がディフューザ７およびスクロール通路８を介してエンジンに供給されるようになっている。
【００４０】
このような舶用過給機１の回転軸２の回転数を計測する回転計測装置１０では、回転軸２の端部のねじに取り付けることができる略中空円筒部とねじ込み操作用の角柱部とからなる中空キャップ１１を備えており、中空部１１ａおよび円筒側壁部１１ｂを貫通して半径方向一直線上に貫通孔１２を形成することで、この貫通孔１２は２つの貫通孔１２ａ、１２ｂで構成される。
【００４１】
一方、この回転軸２の外側を囲んで設けられるケーシングとしてのコンプレッサハウジング５には、中空キャップ１１の一直線状の２つの貫通孔１２ａ、１２ｂと同一直線状に配置される貫通孔１３が形成され、回転軸２の中心軸を挟む両側に形成することで、この貫通孔１３は２つの貫通孔１３ａ，１３ｂで構成される。
【００４２】
そして、コンプレッサハウジング５の一方の貫通孔１３ａの外側には、レーザー発光・受光器１４が取り付けられて貫通孔１３ａの中心軸上にレーザー光を照射できるようになっている。また、コンプレッサハウジング５の他方の貫通孔１３ｂの外側には、反射板１５が取り付けられ、貫通孔１３ｂの中心軸上に光を反射できるようにしてある。
【００４３】
また、レーザー発光・受光器１４には、受光信号から回転数を求める処理手段として処理装置１６が接続してある。
【００４４】
このように構成した回転機械の回転計測装置１０では、舶用過給機１が運転された状態でレーザー発光・受光器１４からレーザー光を貫通孔１３ａを介して他方の貫通孔１３ｂの反射板１５に向けて照射する。
【００４５】
すると、回転軸２の端部にねじ込んだ中空キャップ１１の貫通孔１２ａ、１２ｂと一直線上に貫通孔１３ａ，１３ｂが位置する状態になると、レーザー光が反射板１５で反射されてレーザー発光・受光器１４で受光信号を得ることができる。
【００４６】
したがって、回転軸２が一回転すると、２つの受光信号を得ることができることから、処理装置１６で検出信号を必要な変換処理するとともに、演算することで回転数を求めることができる。
【００４７】
このような回転機械の回転計測装置１０によれば、レーザー光を照射してその反射から回転数を求めるので、電気的雑音や機械的振動の影響を受けにくく、しかも中型や大型の過給機などであってもレーザー光の照射と反射を利用するので、大きな出力信号を得ることが容易であり、高精度の回転計測を行なうことができる。また、作業効率も向上する。
【００４８】
また、この回転機械の回転計測装置１０によれば、レーザー発光・受光器１４を貫通孔１３ａ、１３ｂの外側に配置するようにしているので、舶用過給機の場合のように、カーボンなどで汚染された機関室内の空気を作動流体とする場合にも、その影響をほとんど受けずに計測することができる。
【００４９】
さらに、回転軸２の端部に中空キャップ１１をねじ込むようにしているので、電磁式などの場合のように、回転軸の外周の一部に被検出部を埋め込む場合に比べ、アンバランスが生じにくく、中空キャップ１１を単体でアンバランスを修正することもでき、軸振動を防止して安定して回転機械を運転することが可能となる。
【００５０】
なお、上記実施の形態では、反射板１５をコンプレッサハウジング５の貫通孔１３ｂの外側に配置するようにしたが、図１(ｂ)に示すように、中空キャップ１１の貫通孔１２を側壁部１１ｂに一個だけ形成するようにし、この貫通孔１２の内側に反射面を貫通孔１２に向けて反射板１５を取り付けるようにしても良く、より一層汚染空気などの影響を受けにくくすることができる。
【００５１】
また、貫通孔１２と反射板１５とでアンバランスを相殺することもでき、一層軸振動を防止して安定して回転機械を運転することが可能となる。
【００５２】
なお、この場合には、回転軸２の1回転ごとに１つの受光信号を得ることになり、これを処理装置で処理して回転数が求められる。
【００５３】
次に、この発明の回転機械の回転計測装置の他の一実施の形態について、図２により説明するが、既に説明した回転機械の回転計測装置１０と同一部分には同一記号を記し、詳細な説明は省略する。
【００５４】
この回転機械の回転計測装置２０では、上記実施の形態の反射光による受光信号に変え、透過光を受光信号とするようにしている。
【００５５】
この回転機械の回転計測装置２０でも、同様に、回転軸２の端部に中空キャップ１１が取り付けられ、中空部１１ａおよび円筒側壁部１１ｂを貫通して半径方向一直線上に２つの貫通孔１２ａ、１２ｂが形成してある。
【００５６】
一方、回転軸２の外側を囲んで設けられるケーシングとしてのコンプレッサハウジング５にも、同様に、中空キャップ１１の一直線上の２つの貫通孔１２ａ、１２ｂと同一直線上に配置される貫通孔１３が形成され、回転軸２の中心軸を挟む両側に形成することで、この貫通孔１３は２つの貫通孔１３ａ，１３ｂで構成されている。
【００５７】
そして、コンプレッサハウジング５の一方の貫通孔１３ａの外側には、光ファイバ２１を介して発光器２２が取り付けられて貫通孔１３ａの中心軸上に光を照射できるように配置してある。また、コンプレッサハウジング５の他方の貫通孔１３ｂの外側には、光ファイバ２３を介して受光器２４が取り付けられ、貫通孔１３ｂの中心軸上に向けて受光部が配置してある。
【００５８】
そして、受光器２４には、光ファイバ２３を介して受光する受光信号から回転数を求める処理手段として処理装置２５が接続してある。
【００５９】
このように構成した回転機械の回転計測装置２０では、舶用過給機１が運転された状態で発光器２２からの光を光ファイバ２１を介して貫通孔１３ａを介して他方の貫通孔１３ｂの光ファイバ２３の受光部に向けて照射する。
【００６０】
すると、回転軸２の端部にねじ込んだ中空キャップ１１の貫通孔１２ａ、１２ｂと一直線上に貫通孔１３ａ，１３ｂが位置する状態になると、発光器２２からの光が光ファイバ２３の受光部を介して受光器２４に受光されて受光信号を得ることができる。
【００６１】
したがって、回転軸２が一回転すると、２つの受光信号を得ることができることから、処理装置２５で検出信号を必要な変換処理するとともに、演算することで回転数を求めることができる。
【００６２】
このような回転機械の回転計測装置２０によれば、光ファイバ２１を介して光を照射して対向する光ファイバ２３で受光し、その受光信号から回転数を求めるので、電気的雑音や機械的振動の影響を受けにくく、しかも中型や大型の過給機などであっても透過光による大きな出力信号を得ることが容易であり、高精度の回転計測を行なうことができる。
【００６３】
この回転機械の回転計測装置２０では、２つの貫通孔１３ａ、１３ｂに光ファイバ２１、２３を取り付けるようにしているので、わずかなスペースがあれば設置することができるとともに、発光器２２や受光器２４を直接取り付ける必要がなく、機器の配置の自由度が高い。さらに、作業効率も向上する。
【００６４】
また、舶用過給機の場合のように、カーボンなどで汚染された機関室内の空気を作動流体とする場合にも、貫通孔１３ａ、１３ｂを介して発光および受光するので、その影響をほとんど受けずに計測することができる。
【００６５】
さらに、回転軸２の端部に中空キャップ１１をねじ込むようにしているので、電磁式などの場合のように、回転軸の外周の一部に被検出部を埋め込む場合に比べ、アンバランスが生じにくく、中空キャップ１１を単体でアンバランスを修正することもでき、軸振動を防止して安定して回転機械を運転することが可能となる。
【００６６】
なお、上記実施の形態では、光ファイバ２１、２３を介して発光器２２や受光器２４を接続するようにしたが、発光器２２や受光器２４を直接貫通孔１３ａ、１３ｂに取り付けるようにしても良い。
【００６７】
さらに、上記各実施の形態では、回転軸２の端部に貫通孔１２を形成した中空キャップ１１を取り付けるようにしたが、中空キャップ１１を用いず、直接回転軸２に貫通孔１２を形成するようにしても良く、回転軸２の加工時に貫通孔１２を形成し、その後バランス修正を行うことで、アンバランスの修正が容易となり、軸振動を抑えることが一層容易となる。
【００６８】
また、上記各実施の形態では、舶用過給機を例に説明したが、これに限らず、ガスタービンや車両用の過給機など、高速回転する高速回転機械の回転計測に用いることができる。
【図面の簡単な説明】
【００６９】
【図１】この発明の回転機械の回転計測装置の一実施の形態にかかり、(ａ)は舶用過給機に適用した場合の全体の概略構成図、（ｂ）は他の構成例の説明断面図である。
【図２】この発明の回転機械の回転計測装置の他の一実施の形態にかかる舶用過給機に適用した場合の全体の概略構成図である。
【符号の説明】
【００７０】
１            舶用過給機
２            回転軸
３            コンプレッサインペラ
４            ナット
５            コンプレッサハウジング(ケーシング)
６            サイレンサ
７            ディフューザ
８            スクロール通路
１０，２０    回転機械の回転計測装置
１１          中空キャップ
１１ａ        中空部
１１ｂ        円筒側壁部
１２          貫通孔
１２ａ        貫通孔
１２ｂ        貫通孔
１３          貫通孔
１３ａ        貫通孔
１３ｂ        貫通孔
１４          レーザー発光・受光器（発光・受光部）
１５          反射板（反射部）
１６          処理装置
２１          光ファイバ
２２          発光器
２３          光ファイバ
２４          受光器
２５          処理装置
【図１】
2005207805.tif 000003
【図２】
2005207805.tif 000004